(57)【要約】【課題】嵌合解除の際に第１コネクタに対して第２コネクタが幅方向に傾斜するような力が付与されても、第１端子が捲上がることがなく、信頼性が高くなるようにする。【解決手段】第１端子の第１接触部は、挿入凸部の挿入方向に向けて直線的に延出する直線部と、直線部の終端部とを含み、第２端子の第１接触部は、挿入凸部の挿入方向に向けて直線的に延出する直線部と、直線部の終端部とを含み、挿入凹部に挿入凸部が挿入され、第１コネクタと第２コネクタとが完全嵌合状態になると、第２端子の第１接触部の直線部の終端部は、第１端子の第１接触部の直線部の終端部以上に、挿入凸部の挿入方向手前側に位置する。【選択図】図１
2017204433.tif 000002
【特許請求の範囲】
【請求項１】
（ａ）第１端子と、該第１端子が配設された挿入凹部が形成された第１ハウジングとを含む第１コネクタと、
（ｂ）前記第１端子と接触する第２端子と、該第２端子が配設され、前記挿入凹部に挿入される挿入凸部が形成された第２ハウジングとを含む第２コネクタとを備えるコネクタであって、
（ｃ）前記第１端子は、前記挿入凹部の一方の側面に配設された第１接触部と、前記挿入凹部の他方の側面に配設された第２接触部とを含み、前記第１接触部は、前記挿入凸部の挿入方向に向けて直線的に延出する直線部と、該直線部の終端部とを含み、
（ｄ）前記第２端子は、前記挿入凸部の一方の側面に配設され、前記第１端子の第１接触部と接触する第１接触部と、前記挿入凸部の他方の側面に配設され、前記第１端子の第２接触部と接触する第２接触部とを含み、前記第１接触部は、前記挿入凸部の挿入方向に向けて直線的に延出する直線部と、該直線部の終端部とを含み、
（ｅ）前記挿入凹部に挿入凸部が挿入され、前記第１コネクタと第２コネクタとが完全嵌合状態になると、前記第２端子の第１接触部の直線部の終端部は、前記第１端子の第１接触部の直線部の終端部以上に、前記挿入凸部の挿入方向手前側に位置することを特徴とするコネクタ。
【請求項２】
前記第１端子の第１接触部は略Ｊ字状の形状を有し、前記第１接触部の直線部の終端部は、自由端であり、前記完全嵌合状態において、前記第２端子の第１接触部に接触していない請求項１に記載のコネクタ。
【請求項３】
前記第１端子の第１接触部は、前記直線部における終端部と反対側の端部に接続された湾曲部を含み、前記第１ハウジングは、前記湾曲部に当接又は近接する庇部を含む請求項１又は２に記載のコネクタ。
【請求項４】
前記第１端子は、前記挿入凹部の底部に配設され、前記第１接触部と第２接触部とを接続する第１接続部を含み、前記第２端子は、前記挿入凸部の先端部に配設され、前記第１接触部と第２接触部とを接続する第２接続部を含み、前記完全嵌合状態において、前記第１接続部と第２接続部とは離間している請求項１〜３のいずれか１項に記載のコネクタ。
【発明の詳細な説明】
【技術分野】
【０００１】
本開示は、コネクタに関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、互いに嵌合して導通するようになっている（例えば、特許文献１参照。）。
【０００３】
図７は従来のコネクタを示す断面図である。
【０００４】
図において、８１１は、第１回路基板８９１に実装された第１コネクタの第１ハウジングであり、９１１は、第２回路基板９９１に実装された第２コネクタの第２ハウジングである。第１コネクタと第２コネクタとが嵌合することによって第１回路基板８９１と第２回路基板９９１とが電気的に接続される。そして、前記第１ハウジング８１１には第１端子８６１が装着され、前記第２ハウジング９１１には、前記第１端子８６１と接触する第２端子９６１が装着されている。
【０００５】
前記第１端子８６１は、互いに対向する第１接触部８６５及び第２接触部８６６と、前記第１接触部８６５と第２接触部８６６とを接続する接続部８６４と備える。そして、第１コネクタと第２コネクタとが嵌合すると、図に示されるように、第２端子９６１は、第１接触部８６５と第２接触部８６６とによって両側から挟持された状態となり、これにより、第１端子８６１と第２端子９６１との接触状態が維持される。
【０００６】
なお、第１コネクタと第２コネクタとの嵌合が解除される際には、第１コネクタに対して第２コネクタが相対的に上昇するので、第１端子８６１の自由端に位置する第１接触部８６５は、相対的に上昇する第２端子９６１の第１接触部９６５に引摺られて、捲上がる恐れがある。しかし、第１ハウジング８１１の幅方向中央に位置する島部８１３の上端から突出する庇部８１３ａが第１接触部８６５の上方に被さっているので、第１接触部８６５の上方への変位が阻止され、その捲上がりが防止される。
【先行技術文献】
【特許文献】
【０００７】
【特許文献１】特開２００４−１１９０４８号公報
【発明の概要】
【発明が解決しようとする課題】
【０００８】
しかしながら、前記従来のコネクタにおいては、嵌合が解除される際に、第１コネクタと第２コネクタとが幅方向に互いに傾斜するような力が付与された状態で、第１コネクタに対して第２コネクタが相対的に上昇させられると、第１接触部８６５が捲上がってしまうことがある。
【０００９】
第１コネクタに対して第２コネクタが幅方向に傾斜するような力が付与されると、第２端子９６１の第１接触部９６５が斜めに傾斜した姿勢で相対的に上昇するので、第１端子８６１の第１接触部８６５は、斜めの第１接触部９６５によって持上げられるようになり、非常に大きな上向きの力を受けることとなる。そのため、第１接触部８６５の上方に被さっている第１ハウジング８１１の庇部８１３ａが、上向きの力に抗しきれずに、変形したり、破損したりしてしまうので、第１接触部８６５が捲上がってしまう。
【００１０】
ここでは、前記従来の問題点を解決して、嵌合解除の際に第１コネクタに対して第２コネクタが幅方向に傾斜するような力が付与されても、第１端子が捲上がることがなく、信頼性の高いコネクタを提供することを目的とする。
【課題を解決するための手段】
【００１１】
そのために、コネクタにおいては、第１端子と、該第１端子が配設された挿入凹部が形成された第１ハウジングとを含む第１コネクタと、前記第１端子と接触する第２端子と、該第２端子が配設され、前記挿入凹部に挿入される挿入凸部が形成された第２ハウジングとを含む第２コネクタとを備えるコネクタであって、前記第１端子は、前記挿入凹部の一方の側面に配設された第１接触部と、前記挿入凹部の他方の側面に配設された第２接触部とを含み、前記第１接触部は、前記挿入凸部の挿入方向に向けて直線的に延出する直線部と、該直線部の終端部とを含み、前記第２端子は、前記挿入凸部の一方の側面に配設され、前記第１端子の第１接触部と接触する第１接触部と、前記挿入凸部の他方の側面に配設され、前記第１端子の第２接触部と接触する第２接触部とを含み、前記第１接触部は、前記挿入凸部の挿入方向に向けて直線的に延出する直線部と、該直線部の終端部とを含み、前記挿入凹部に挿入凸部が挿入され、前記第１コネクタと第２コネクタとが完全嵌合状態になると、前記第２端子の第１接触部の直線部の終端部は、前記第１端子の第１接触部の直線部の終端部以上に、前記挿入凸部の挿入方向手前側に位置する。
【００１２】
他のコネクタにおいては、さらに、前記第１端子の第１接触部は略Ｊ字状の形状を有し、前記第１接触部の直線部の終端部は、自由端であり、前記完全嵌合状態において、前記第２端子の第１接触部に接触していない。
【００１３】
更に他のコネクタにおいては、さらに、前記第１端子の第１接触部は、前記直線部における終端部と反対側の端部に接続された湾曲部を含み、前記第１ハウジングは、前記湾曲部に当接又は近接する庇部を含む。
【００１４】
更に他のコネクタにおいては、さらに、前記第１端子は、前記挿入凹部の底部に配設され、前記第１接触部と第２接触部とを接続する第１接続部を含み、前記第２端子は、前記挿入凸部の先端部に配設され、前記第１接触部と第２接触部とを接続する第２接続部を含み、前記完全嵌合状態において、前記第１接続部と第２接続部とは離間している。
【発明の効果】
【００１５】
コネクタは、嵌合解除の際に第１コネクタに対して第２コネクタが幅方向に傾斜するような力が付与されても、第１端子が捲上がることがなく、高い信頼性を備える。
【図面の簡単な説明】
【００１６】
【図１】本実施の形態における第１コネクタの斜視図であり嵌合面側から観た斜視図である。
【図２】本実施の形態における第２コネクタの斜視図であり嵌合面側から観た斜視図である。
【図３】本実施の形態におけるコネクタの嵌合工程での第１コネクタと第２コネクタとの位置関係を示す斜視図である。
【図４】本実施の形態におけるコネクタの嵌合工程が完了した状態を示す図である。
【図５】本実施の形態におけるコネクタの嵌合が完了した状態を示す断面図であって図４におけるＡ−Ａ矢視断面を示す図である。
【図６】本実施の形態におけるコネクタの斜め抜去が行われるときの状態を示す図であって図５における左側の第１端子及び第２端子を示す図であり、（ａ）は完全嵌合状態の第１端子及び第２端子を示す図、（ｂ）は斜め抜去が開始されたときの第１端子及び第２端子を示す図である。
【図７】従来のコネクタを示す断面図である。
【発明を実施するための形態】
【００１７】
以下、実施の形態について図面を参照しながら詳細に説明する。
【００１８】
図１は本実施の形態における第１コネクタの斜視図であり嵌合面側から観た斜視図である。
【００１９】
図において、１は本実施の形態におけるコネクタであって、一対の基板対基板コネクタの一方としての第１コネクタである。該第１コネクタ１は、実装部材としての図示されない基板である第１基板の表面に実装される表面実装型のコネクタであって、後述される相手方コネクタとしての第２コネクタ１０１と互いに嵌合される。また、該第２コネクタ１０１は一対の基板対基板コネクタの他方であり、実装部材としての図示されない基板である第２基板の表面に実装される表面実装型のコネクタである。
【００２０】
なお、本実施の形態における第１コネクタ１及び第２コネクタ１０１は、好適には、基板としての第１基板及び第２基板を電気的に接続するために使用するものであるが、他の部材を電気的に接続するためにも使用することができる。前記第１基板及び第２基板は、例えば、電子機器等に使用されるプリント回路基板、フレキシブルフラットケーブル（ＦＦＣ：Ｆｌｅｘｉｂｌｅ  Ｆｌａｔ  Ｃａｂｌｅ）、フレキシブル回路基板（ＦＰＣ：Ｆｌｅｘｉｂｌｅ  Ｐｒｉｎｔｅｄ  Ｃｉｒｃｕｉｔ）等であるが、いかなる種類の基板であってもよい。
【００２１】
また、本実施の形態において、第１コネクタ１及び第２コネクタ１０１の各部の構成及び動作を説明するために使用される上、下、左、右、前、後等の方向を示す表現は、絶対的なものでなく相対的なものであり、前記第１コネクタ１及び第２コネクタ１０１の各部が図に示される姿勢である場合に適切であるが、その姿勢が変化した場合には姿勢の変化に応じて変更して解釈されるべきものである。
【００２２】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合面側（図１における上側）には、周囲が囲まれた概略長方形の凹部１２が形成されている。前記第１コネクタ１は、例えば、縦約７．０〔ｍｍ〕、横約２．５〔ｍｍ〕及び厚さ約０．６〔ｍｍ〕の寸法を備えるものであるが、寸法は適宜変更することができる。そして、前記凹部１２内には島部としての第１凸部１３が第１ハウジング１１と一体的に形成され、また、前記第１凸部１３の両側には該第１凸部１３と平行に延在する側壁部１４が第１ハウジング１１と一体的に形成されている。
【００２３】
この場合、前記第１凸部１３及び側壁部１４は、凹部１２の底面から上方に向けて突出し、第１ハウジング１１の長手方向に延在する。これにより、前記第１凸部１３の両側には、凹部１２の一部として、第１ハウジング１１の長手方向に延在する細長い凹部である挿入凹部としての凹溝部１２ａが形成される。なお、図に示される例において、前記第１凸部１３は単数であるが、複数であってもよく、その数はいくつであってもよい。また、前記第１凸部１３は、例えば、幅約０．４〔ｍｍ〕の寸法を備えるものであるが、寸法は適宜変更することができる。
【００２４】
ここで、前記第１凸部１３の両側の側面には凹溝状の第１端子収容内側キャビティ１５ａが形成されている。また、前記側壁部１４の内側の側面には凹溝状の第１端子収容外側キャビティ１５ｂが形成されている。そして、前記第１端子収容内側キャビティ１５ａと第１端子収容外側キャビティ１５ｂとは、凹溝部１２ａの底面において連結され互いに一体化しているので、第１端子収容内側キャビティ１５ａと第１端子収容外側キャビティ１５ｂとを統合的に説明する場合には、第１端子収容キャビティ１５として説明する。
【００２５】
該第１端子収容キャビティ１５は、第１凸部１３の両側に、例えば、約０．２〔ｍｍ〕のピッチで１０個ずつ形成されている。そして、第１端子収容キャビティ１５の各々に収容される第１端子６１も、第１凸部１３の両側に、例えば、約０．２〔ｍｍ〕のピッチで１０個ずつ配設されている。なお、前記第１端子収容キャビティ１５のピッチ及び数は適宜変更することができる。
【００２６】
前記第１端子６１は、導電性の金属板に打抜き、曲げ等の加工を施すことによって一体的に形成された部材であり、後述される被保持部６３と、該被保持部６３の下端に接続されたテール部６２と、前記被保持部６３の上端に接続された上側接続部６７と、該上側接続部６７の内方端に接続され、凹溝部１２ａにおける側壁部１４側の側面に配設された第２接触部６６と、該第２接触部６６の下端に接続され、凹溝部１２ａの底部に配設された後述される第１接続部としての下側接続部６４と、該下側接続部６４の内方端に接続された後述される内側接続部６８と、該内側接続部６８の上端に接続され、凹溝部１２ａにおける第１凸部１３側の側面に配設された第１接触部６５とを備える。
【００２７】
前記被保持部６３は、上下方向、すなわち、第１ハウジング１１の厚さ方向に延在し、前記第１端子収容外側キャビティ１５ｂに嵌入されて保持される部分である。また、前記テール部６２は、被保持部６３に対して曲げて接続され、左右方向、すなわち、第１ハウジング１１の幅方向に外方を向いて延出し、第１基板の導電トレースに連結された接続パッドにはんだ付等によって接続される。なお、前記導電トレースは、典型的には、信号ラインである。さらに、前記上側接続部６７は、被保持部６３に対して曲げて接続され、第１ハウジング１１の幅方向に内方を向いて延出する。
【００２８】
前記第２接触部６６は、上側接続部６７に対して曲げて接続され、第１ハウジング１１の厚さ方向に延在する部分である。また、前記下側接続部６４は、前記第２接触部６６の下端に接続され、第１ハウジング１１の幅方向に内方を向いて延出する。さらに、前記内側接続部６８は、下側接続部６４に対して曲げて接続され、第１ハウジング１１の厚さ方向に延在する部分である。そして、前記内側接続部６８の自由端、すなわち、前記内方の上端近傍には、Ｊ字状に曲げられ、かつ、第１ハウジング１１の幅方向に外方を向いて膨出する湾曲した第１接触部６５が形成されている。
【００２９】
前記第１端子６１は、実装面側（図１における下側）から、第１端子収容キャビティ１５内に嵌入され、被保持部６３が側壁部１４の内側の側面に形成された第１端子収容外側キャビティ１５ｂの側壁によって両側から挟持されることにより、第１ハウジング１１に固定される。この状態、すなわち、第１端子６１が第１ハウジング１１に装填された状態において、前記第１接触部６５と第２接触部６６とは、凹溝部１２ａの左右両側に位置し、互いに向合っている。
【００３０】
なお、第１端子６１は、金属板に加工を施すことによって一体的に形成された部材であるので、ある程度の弾性を備える。そして、その形状から明らかなように、互いに向合う第１接触部６５と第２接触部６６との間隔は、弾性的に変化可能である。すなわち、第１接触部６５と第２接触部６６との間に第２コネクタ１０１が備える後述される第２端子１６１が挿入されると、それにより、第１接触部６５と第２接触部６６との間隔は弾性的に伸長する。
【００３１】
また、前記第１ハウジング１１の長手方向両端には嵌合ガイド部としての第１突出端部２１が各々配設されている。各第１突出端部２１には、前記凹部１２の一部として嵌合凹部２２が形成されている。該嵌合凹部２２は、略長方形の凹部であり、各凹溝部１２ａの長手方向両端に接続されている。そして、前記嵌合凹部２２内には、第１コネクタ１及び第２コネクタ１０１が嵌合された状態において、該第２コネクタ１０１が備える後述される第２突出端部１２２が挿入される。
【００３２】
さらに、前記第１突出端部２１は、側壁部１４の長手方向両端から第１ハウジング１１の長手方向に延出する側壁延長部２１ｃと、第１ハウジング１１の幅方向に延在し、両端が側壁延長部２１ｃに接続された端壁部２１ｂとを備える。各第１突出端部２１において、端壁部２１ｂとその両端に接続された側壁延長部２１ｃとは、連続したコ字状の側壁を形成し、略長方形の嵌合凹部２２の三方を画定する。
【００３３】
そして、前記第１突出端部２１には、補強金具としての第１補強金具５１が取付けられる。該第１補強金具５１は、第１突出端部２１に形成された第１金具保持凹部２６内に収容されて保持される。本実施の形態において、第１補強金具５１は、金属板に打抜き、曲げ等の加工を施すことによって一体的に形成された部材であり、第１ハウジング１１の幅方向に延在する細長い帯状の本体部としての第１本体部５２と、該第１本体部５２の左右両端に接続された細長い帯状の接続腕部５３と、該接続腕部５３の上端に接続された側方ガイド部５４と、同じく接続腕部５３の上端に接続された接触腕部５５と、前記第１本体部５２の下端に接続された基板接続部５６とを備える。
【００３４】
前記接続腕部５３は、上下方向及び横方向に弾性的に変位可能な部分である。また、一対の基板接続部５６は、その基端が前記第１本体部５２と同一面上に延在するとともに、その自由端が第１ハウジング１１の長手方向外側を向くように湾曲した帯状の板部材である。そして、前記基板接続部５６の自由端の下端は、第１基板の導電トレースに連結された接続パッドにはんだ付等によって接続される。なお、前記導電トレースは、典型的には、電力ラインである。
【００３５】
また、前記側方ガイド部５４及び接触腕部５５は、図１に示すような第１補強金具５１が第１突出端部２１に取付けられた状態において、側壁延長部２１ｃの上面及び内壁面を覆うように形成された部材である。そして、前記側方ガイド部５４及び接触腕部５５は、基端が接続腕部５３の上端に接続され、先端が下方を向いて延出する。
【００３６】
図に示される例において、第１本体部５２の頂点及び側方ガイド部５４の頂点は、側壁部１４の上面１４ａ及び第１凸部１３の上面１３ａよりも高い位置にあるので、第１コネクタ１と第２コネクタ１０１とが嵌合する際に、第２コネクタ１０１の第２突出端部１２２が最初に側壁部１４及び第１凸部１３に当接してしまうことはない。したがって、側壁部１４及び第１凸部１３が損傷を受けたり、破損したりしてしまうことがない。
【００３７】
次に、第２コネクタ１０１の構成について説明する。
【００３８】
図２は本実施の形態における第２コネクタの斜視図であり嵌合面側から観た斜視図である。
【００３９】
第２コネクタ１０１は、合成樹脂等の絶縁性材料によって一体的に形成された相手方コネクタ本体としての第２ハウジング１１１を有する。該第２ハウジング１１１は、図に示されるように、概略直方体である概略長方形の厚板状の形状を備え、例えば、縦約５．０〔ｍｍ〕、横約１．５〔ｍｍ〕及び厚さ約０．５〔ｍｍ〕の寸法を備えるものであるが、寸法は適宜変更することができる。そして、第２ハウジング１１１の第１コネクタ１に嵌入される側、すなわち、嵌合面側（図における上側）には、第２ハウジング１１１の長手方向に延在する細長い凹溝部１１３と、該凹溝部１１３の外側を画定するとともに、第２ハウジング１１１の長手方向に延在する細長い凸部である挿入凸部としての第２凸部１１２とが一体的に形成されている。該第２凸部１１２は、凹溝部１１３の両側に沿って、かつ、第２ハウジング１１１の両側に沿って形成されている。また、各第２凸部１１２には、相手方端子としての第２端子１６１が配設されている。
【００４０】
図に示されるように、凹溝部１１３は、第２基板に実装される側、すなわち、実装面（図における下面）側が底部によって閉止されている。なお、図に示される例において、前記第２凸部１１２は２本であるが、単数であってもよく、その数はいくつであってもよい。また、前記凹溝部１１３は、例えば、幅約０．７〔ｍｍ〕の寸法を備えるものであるが、寸法は適宜変更することができる。
【００４１】
前記第２端子１６１は、導電性の金属板に打抜き、曲げ等の加工を施すことによって一体的に形成された部材であり、後述される本体部１６３と、該本体部１６３の外方端に接続されたテール部１６２と、前記本体部１６３の内方端に接続され、第２凸部１１２の内側面に配設された第１接触部１６５と、該第１接触部１６５の上端に接続され、第２凸部１１２の先端部に配設された第２接続部としての接続部１６４と、該接続部１６４の外方端に接続され、第２凸部１１２の外側面に配設された第２接触部１６６とを備える。
【００４２】
そして、前記本体部１６３は、第２ハウジング１１１に周囲の少なくとも一部を囲まれて保持される部分である。また、前記テール部１６２は、本体部１６３の左右方向、すなわち、第２ハウジング１１１の幅方向の外側端に接続され、第２ハウジング１１１の外方を向いて延出し、第２基板の導電トレースに連結された接続パッドにはんだ付等によって接続される。なお、前記導電トレースは、典型的には、信号ラインである。
【００４３】
さらに、前記第１接触部１６５は、本体部１６３に対して曲げて接続され、上下方向、すなわち、第２ハウジング１１１の厚さ方向に延在する平板状の部分である。そして、前記接続部１６４は、第１接触部１６５に対して曲げて接続され、第２ハウジング１１１の幅方向に外方を向いて延出する。また、前記第２接触部１６６は、接続部１６４の外方端に、下方に向けて曲げて接続され、下方に延出する部分である。
【００４４】
前記第２端子１６１はオーバーモールド成形乃至インサート成形によって第２ハウジング１１１と一体化される。すなわち、第２ハウジング１１１は、第２端子１６１をあらかじめ内部にセットした金型のキャビティ内に樹脂を充填することによって成形される。これにより、第２端子１６１は、少なくとも一部が第２ハウジング１１１内に埋没し、第１接触部１６５、接続部１６４及び第２接触部１６６の表面が第２凸部１１２の各側面及び嵌合面に露出した状態で、第２ハウジング１１１に一体的に取付けられる。この場合、前記第２端子１６１は、例えば、約０．２〔ｍｍ〕のピッチで左右に１０個ずつ配設されている。なお、第２端子１６１のピッチ及び数は適宜変更することができる。
【００４５】
そして、前記第２ハウジング１１１の長手方向両端には相手方嵌合ガイド部としての第２突出端部１２２が各々配設されている。該第２突出端部１２２は、第２ハウジング１１１の幅方向に延在し、両端が各第２凸部１１２の長手方向両端に接続された肉厚の部材であり、その上面は略長方形の形状を備える。そして、前記第２突出端部１２２は、第１コネクタ１及び第２コネクタ１０１が嵌合された状態において、前記第１コネクタ１が備える第１突出端部２１の嵌合凹部２２に挿入される。
【００４６】
また、前記第２突出端部１２２には、相手方補強金具としての第２補強金具１５１が取付けられる。該第２補強金具１５１は、第２突出端部１２２における第２ハウジング１１１の外面に沿って配設され、その保持用突出片１５８の先端が第２凸部１１２の長手方向両端近傍の内側の側面内に収容されて保持される。
【００４７】
本実施の形態における第２補強金具１５１は、金属板に打抜き、曲げ等の加工を施すことによって一体的に形成された部材であり、第２ハウジング１１１の幅方向に延在する第２本体部１５２と、該第２本体部１５２の上端に接続された中央覆部１５７と、該中央覆部１５７の左右両端に接続された側方覆部１５４と、該側方覆部１５４の一側縁に接続された保持用突出片１５８と、前記側方覆部１５４の他側縁に接続された接触側板部１５５と、該接触側板部１５５の下端に接続された基板接続部１５６とを備える。
【００４８】
前記中央覆部１５７は、図に示されるような第２補強金具１５１が第２突出端部１２２に取付けられた状態において、該第２突出端部１２２の上面の大半を覆う程度の形状及び大きさに形成された部材である。
【００４９】
また、前記側方覆部１５４は、中央覆部１５７の左右両端から第２ハウジング１１１の長手方向に延出し、第２凸部１１２の長手方向両端近傍の上面を覆う部材である。そして、前記接触側板部１５５は、第２凸部１１２の長手方向両端近傍の外側の側面を覆う部材である。なお、側方覆部１５４とその両側縁に接続された保持用突出片１５８及び接触側板部１５５とは、連続したＵ字状の形状を備え、第２凸部１１２の長手方向両端近傍において、前記第２凸部１１２の内側の側面、第２凸部１１２の上面及び第２凸部１１２の外側の側面に連続して跨るようにして形成されている。
【００５０】
さらに、前記基板接続部１５６は、第２ハウジング１１１の外方を向いて延出し、第２基板の導電トレースに連結された接続パッドにはんだ付等によって接続される。前記導電トレースは、典型的には、電力ラインである。
【００５１】
次に、前記構成の第１コネクタ１と第２コネクタ１０１とを嵌合させる動作について説明する。
【００５２】
図３は本実施の形態におけるコネクタの嵌合工程での第１コネクタと第２コネクタとの位置関係を示す斜視図、図４は本実施の形態におけるコネクタの嵌合工程が完了した状態を示す図である。
【００５３】
ここで、第１コネクタ１は、第１端子６１のテール部６２が図示されない第１基板の導電トレースに連結された接続パッドにはんだ付等によって接続されるとともに、第１補強金具５１の基板接続部５６が第１基板の導電トレースに連結された接続パッドにはんだ付等によって接続されることにより、第１基板に表面実装されているものとする。なお、前記第１端子６１のテール部６２が接続される接続パッドに連結された導電トレースは、信号ラインであり、前記第１補強金具５１の基板接続部５６が接続される接続パッドに連結された導電トレースは電力ラインであるものとする。
【００５４】
同様に、第２コネクタ１０１は、第２端子１６１のテール部１６２が図示されない第２基板の導電トレースに連結された接続パッドにはんだ付等によって接続されるとともに、第２補強金具１５１の基板接続部１５６が第２基板の導電トレースに連結された接続パッドにはんだ付等によって接続されることにより、第２基板に表面実装されているものとする。なお、前記第２端子１６１のテール部１６２が接続される接続パッドに連結された導電トレースは、信号ラインであり、前記第２補強金具１５１の基板接続部１５６が接続される接続パッドに連結された導電トレースは、電力ラインであるものとする。
【００５５】
まず、オペレータは、図３に示されるように、第１コネクタ１の第１ハウジング１１の嵌合面と第２コネクタ１０１の第２ハウジング１１１の嵌合面とを対向させた状態とし、第２コネクタ１０１の第２凸部１１２の位置が第１コネクタ１の対応する凹溝部１２ａの位置と合致し、第２コネクタ１０１の第２突出端部１２２の位置が第１コネクタ１の対応する嵌合凹部２２の位置と合致すると、第１コネクタ１と第２コネクタ１０１との位置合せが完了する。
【００５６】
この状態で、第１コネクタ１及び／又は第２コネクタ１０１を相手側に接近する方向、すなわち、嵌合方向に移動させると、第２コネクタ１０１の第２凸部１１２及び第２突出端部１２２が第１コネクタ１の凹溝部１２ａ及び嵌合凹部２２内に挿入される。これにより、図４に示されるように、第１コネクタ１と第２コネクタ１０１との嵌合が完了すると、第１端子６１と第２端子１６１とが導通した状態となる。
【００５７】
次に、前記第１コネクタ１と第２コネクタ１０１との嵌合が完了した状態における第１端子６１と第２端子１６１との関係について詳細に説明する。
【００５８】
図５は本実施の形態におけるコネクタの嵌合が完了した状態を示す断面図であって図４におけるＡ−Ａ矢視断面を示す図である。
【００５９】
第１コネクタ１と第２コネクタ１０１との嵌合が完了した状態、すなわち、完全嵌合状態（嵌合完了状態）においては、各第１端子６１とそれに対応する第２端子１６１とは、図５に示されるような関係となる。具体的には、各第１端子６１の第１接触部６５と第２接触部６６との間に第２コネクタ１０１の第２端子１６１が挿入され、第１端子６１の第１接触部６５と第２端子１６１の第１接触部１６５とが接触し、第１端子６１の第２接触部６６と第２端子１６１の第２接触部１６６とが接触する。その結果、第１端子６１のテール部６２が接続された第１基板上の接続パッドに連結された導電トレースと、第２端子１６１のテール部１６２が接続された第２基板上の接続パッドに連結された導電トレースとが導通する。
【００６０】
前述のように、第２端子１６１においては、本体部１６３やその他の部分の少なくとも一部が第２ハウジング１１１に埋没して一体的に取付けられているので、第１接触部１６５と第２接触部１６６との間隔は実質的に不変である。一方、第１端子６１においては、被保持部６３が第１ハウジング１１に保持されて固定されているものの、その他の部分は、第１ハウジング１１に固定されていない。そして、第１接触部６５と第２接触部６６とは、弾性変形可能な下側接続部６４及び内側接続部６８によって相互に連結されているので、その間隔は弾性的に伸長する。したがって、第２端子１６１は、第１接触部１６５及び第２接触部１６６が、第１端子６１の第１接触部６５及び第２接触部６６によって両側から弾性的に挟持された状態となるので、第１端子６１の第１接触部６５と第２端子１６１の第１接触部１６５との接触、及び、第１端子６１の第２接触部６６と第２端子１６１の第２接触部１６６との接触は、確実に維持される。
【００６１】
図に示される例において、前記第１端子６１の第１接触部６５は、側面視において、略Ｊ字状の全体形状を備える部分であり、一端が内側接続部６８の上端に接続された略Ｕ字状の湾曲部６５ａと、該湾曲部６５ａの他端に接続され、下方向（第２凸部１１２の挿入方向）に向けて直線的に延出する直線部６５ｂと、該直線部６５ｂの終端部である下端部６５ｃとを含んでいる。前記湾曲部６５ａは、１８０度以上に湾曲している。また、前記直線部６５ｂの少なくとも第２端子１６１の第１接触部１６５に対向する面は、側面視において、直線である。該直線は、第２コネクタ１０１との嵌合方向（第２凸部１１２の挿入方向）、すなわち、第１ハウジング１１の厚さ方向に対して傾斜している。具体的には、下端部６５ｃに近付くほど、第１ハウジング１１の幅方向中心に近付くように、傾斜している。
【００６２】
また、第１凸部１３は、略Ｔ字状の断面形状を備え、第１ハウジング１１の幅方向中心から幅方向外側に向かって延出する左右一対の庇部１３ｂを備える。該庇部１３ｂは、第１凸部１３の両側の側面に形成された第１端子収容内側キャビティ１５ａの上側（嵌合面側）の少なくとも一部を覆う部材である。そして、庇部１３ｂの下面は、第１端子収容内側キャビティ１５ａ内に収容された第１接触部６５の湾曲部６５ａの上面に当接又は近接した状態となっている。したがって、第１接触部６５の上方への変位は庇部１３ｂによって阻止され、第１接触部６５が第１端子収容内側キャビティ１５ａ内から上方に抜出ることが防止される。なお、必要がなければ、前記庇部１３ｂを省略することもできる。
【００６３】
図に示される例において、前記第２端子１６１の第１接触部１６５は、一端が本体部１６３に接続された湾曲部１６５ａと、該湾曲部１６５ａの他端に接続され、下方に向けて直線的に延出する直線部１６５ｂと、該直線部１６５ｂの終端部である下端部１６５ｃとを含んでいる。そして、前記直線部１６５ｂは、その少なくとも第１端子６１の第１接触部６５に対向する面が、側面視において、直線である。該直線は、第１コネクタ１との嵌合方向、すなわち、第２ハウジング１１１の厚さ方向に平行である。したがって、第１コネクタ１と第２コネクタ１０１との完全嵌合状態において、第１端子６１の第１接触部６５の直線部６５ｂは、下端部６５ｃに近付くほど、第２端子１６１の第１接触部１６５から離れるように、該第１接触部１６５に対して傾斜している。
【００６４】
また、微細に視ると、第２端子１６１の第１接触部１６５と接続部１６４との接続部分の外面には遷移面部１６８が存在し、該遷移面部１６８は斜面乃至湾曲面となっている。すなわち、側面視において、直線である第１接触部１６５の直線部１６５ｂと、該直線部１６５ｂに対して直交する直線である接続部１６４とは、直角の頂点において接続されるのではなく、傾斜した直線乃至曲線である遷移面部１６８を介して接続されている。したがって、直線部１６５ｂの終端部である下端部１６５ｃは、接続部１６４との境界でなく、遷移面部１６８との境界である。
【００６５】
本実施の形態において、完全嵌合状態では、第２端子１６１の第１接触部１６５の下端部１６５ｃの位置は、第１端子６１の第１接触部６５の下端部６５ｃの位置より下（第２凸部１１２の挿入方向前方）でなく、該下端部６５ｃの位置以上に上方にある。すなわち、第２端子１６１の第１接触部１６５の下端部１６５ｃは、第１端子６１の第１接触部６５の直線部６５ｂの下端部６５ｃ以上に、第２凸部１１２の挿入方向手前側に位置する。また、完全嵌合状態では、第２端子１６１の接続部１６４の下面と第１端子６１の下側接続部６４の上面との間には間隙が存在する。すなわち、第２端子１６１の接続部１６４と第１端子６１の下側接続部６４とは、接触しておらず、離間している。
【００６６】
次に、前記構成の第１コネクタ１と第２コネクタ１０１との嵌合を解除させる動作について説明する。ここでは、嵌合を解除する際に、嵌合面同士が斜めになるように、第２コネクタ１０１を第１コネクタ１に対して幅方向、すなわち、左右に傾斜させて互いを引離す操作、いわゆる斜め抜去、が行われる場合について説明する。
【００６７】
図６は本実施の形態におけるコネクタの斜め抜去が行われるときの状態を示す図であって図５における左側の第１端子及び第２端子を示す図である。なお、図において、（ａ）は完全嵌合状態の第１端子及び第２端子を示す図、（ｂ）は斜め抜去が開始されたときの第１端子及び第２端子を示す図である。
【００６８】
第１コネクタ１と第２コネクタ１０１との嵌合を解除させる場合、各々の嵌合面が互いに平行な状態を維持したままで、第１コネクタ１及び／又は第２コネクタ１０１を相手側から引離す、すなわち、抜去方向に移動させるのが本来の動作である。しかしながら、第１コネクタ１及び第２コネクタ１０１のサイズがオペレータの手指等に比較して極めて小さいこと、第１コネクタ１及び第２コネクタ１０１が実装されている第１基板及び第２基板の表面積が第１コネクタ１及び第２コネクタ１０１の実装面の面積よりも極めて広いので第１コネクタ１及び第２コネクタ１０１の目視が困難であること等の理由により、各々の嵌合面が互いに平行な状態を維持したままで、第１コネクタ１及び／又は第２コネクタ１０１を抜去方向に移動させることは、オペレータにとって困難である。そのため、往々にして、斜め抜去が行われる。
【００６９】
ここでは、図５に示される例において、第１コネクタ１に対して、第２コネクタ１０１を反時計回り方向に傾斜させた姿勢、すなわち、第２コネクタ１０１の右端を左端より上方に引上げた姿勢として、第２コネクタ１０１を第１コネクタ１から引抜くような斜め抜去が行われものとして、説明する。
【００７０】
完全嵌合状態から、前記斜め抜去が行われると、図５における左側に位置する第１端子６１及び第２端子１６１の姿勢は、図６（ａ）に示される例から図６（ｂ）に示される例のように変化する。すなわち、第２端子１６１は、第１端子６１に対して、反時計回り方向に回転する。そのため、完全嵌合状態において、図６（ａ）に示されるように、第１端子６１の第１接触部６５の直線部６５ｂから離間していた第２端子１６１の第１接触部１６５の直線部１６５ｂにおける下端部１６５ｃ近傍の部分は、図６（ｂ）に示されるように、第１端子６１の第１接触部６５の直線部６５ｂに当接する。
【００７１】
前述のように、完全嵌合状態において、第２端子１６１の第１接触部１６５の下端部１６５ｃは、第１端子６１の第１接触部６５の下端部６５ｃと等しい位置か、又は、それより上方に位置する。したがって、図６（ａ）に示されるような状態から、第２端子１６１が第１端子６１に対して反時計回り方向に回転しても、第２端子１６１の第１接触部１６５は、第１端子６１の第１接触部６５における下端部６５ｃに当接することなく、該下端部６５ｃより上方に位置する直線部６５ｂに当接する。そして、第２端子１６１が第１端子６１に対して反時計回り方向に更に回転すると、第２端子１６１の第１接触部１６５は、第１端子６１の第１接触部６５の直線部６５ｂに摺接しつつ、該直線部６５ｂに沿って上方に移動する。
【００７２】
このように、斜め抜去が行われて第２端子１６１が第１端子６１に対して反時計回り方向に回転しても、第２端子１６１の第１接触部１６５が、第１端子６１の第１接触部６５の直線部６５ｂに摺接しつつ、該直線部６５ｂに沿ってスムーズに上方に移動するので、第１端子６１の第１接触部６５は、上向きの大きな力を第２端子１６１の第１接触部１６５から受けることがない。したがって、第１端子６１の第１接触部６５は、捲上がってしまうことがない。
【００７３】
仮に、完全嵌合状態において、第２端子１６１の第１接触部１６５の下端部１６５ｃが、第１端子６１の第１接触部６５の下端部６５ｃより下方に位置すると、斜め抜去が行われて第２端子１６１が第１端子６１に対して反時計回り方向に回転した場合、第２端子１６１の第１接触部１６５が第１端子６１の第１接触部６５に当接した際に、該第１接触部６５の直線部６５ｂに沿ってスムーズに上方に移動することができず、該直線部６５ｂを上向きに押上げることとなる。そのため、第１端子６１の第１接触部６５は、上向きの大きな力を第２端子１６１の第１接触部１６５から受け、捲上がってしまう。
【００７４】
これに対して、本実施の形態においては、斜め抜去が行われて第２端子１６１が第１端子６１に対して反時計回り方向に回転しても第２端子１６１の第１接触部１６５は、第１端子６１の第１接触部６５の直線部６５ｂに沿ってスムーズに上方に移動するので、第１端子６１の第１接触部６５が、上向きの大きな力をうけることがない。したがって、第１端子６１の第１接触部６５は、捲上がってしまうことがない。また、第１端子６１の第１接触部６５の湾曲部６５ａの上方に庇部１３ｂが存在するので、第１端子６１の第１接触部６５が、第２端子１６１の第１接触部１６５から上向きの力を多少受けても、上方への変位が庇部１３ｂによって阻止される。したがって、第１端子６１の第１接触部６５の捲上がりが、より効果的に防止される。
【００７５】
このように、本実施の形態において、コネクタは、第１端子６１と、第１端子６１が配設された凹溝部１２ａが形成された第１ハウジング１１とを含む第１コネクタ１と、第１端子６１と接触する第２端子１６１と、第２端子１６１が配設され、凹溝部１２ａに挿入される第２凸部１１２が形成された第２ハウジング１１１とを含む第２コネクタ１０１とを備える。そして、第１端子６１は、凹溝部１２ａの一方の側面に配設された第１接触部６５と、凹溝部１２ａの他方の側面に配設された第２接触部６６とを含み、第１接触部６５は、第２凸部１１２の挿入方向に向けて直線的に延出する直線部６５ｂと、直線部６５ｂの下端部６５ｃとを含み、第２端子１６１は、第２凸部１１２の一方の側面に配設され、第１端子６１の第１接触部６５と接触する第１接触部１６５と、第２凸部１１２の他方の側面に配設され、第１端子６１の第２接触部６６と接触する第２接触部１６６とを含み、第１接触部１６５は、第２凸部１１２の挿入方向に向けて直線的に延出する直線部１６５ｂと、直線部１６５ｂの下端部１６５ｃとを含み、凹溝部１２ａに第２凸部１１２が挿入され、第１コネクタ１と第２コネクタ１０１とが完全嵌合状態になると、第２端子１６１の第１接触部１６５の直線部１６５ｂの下端部１６５ｃは、第１端子６１の第１接触部６５の直線部６５ｂの下端部６５ｃ以上に、第２凸部１１２の挿入方向手前側に位置する。
【００７６】
これにより、第１コネクタ１と第２コネクタ１０１との嵌合を解除させる作業中に斜め抜去が行われ、第２端子１６１が第１端子６１に対して回転しても、第２端子１６１の第１接触部１６５が、第１端子６１の第１接触部６５の直線部６５ｂに摺接しつつ、該直線部６５ｂに沿ってスムーズに上方に移動する。したがって、第１端子６１の第１接触部６５は、上向きの大きな力を第２端子１６１の第１接触部１６５から受けることがなく、捲上がってしまうことがない。
【００７７】
また、第１端子６１の第１接触部６５は略Ｊ字状の形状を有し、第１接触部６５の直線部６５ｂの下端部６５ｃは、自由端であり、完全嵌合状態において、第２端子１６１の第１接触部１６５に接触していない。
【００７８】
さらに、第１端子６１の第１接触部６５は、直線部６５ｂにおける下端部６５ｃと反対側の端部に接続された湾曲部６５ａを含み、第１ハウジング１１は、湾曲部６５ａに当接又は近接する庇部１３ｂを含む。これにより、第１端子６１の第１接触部６５が、第２端子１６１の第１接触部１６５から上向きの力を多少受けても、上方への変位が庇部１３ｂによって阻止されるので、第１端子６１の第１接触部６５の捲上がりが、より効果的に防止される。
【００７９】
さらに、第１端子６１は、凹溝部１２ａの底部に配設され、第１接触部６５と第２接触部６６とを接続する下側接続部６４を含み、第２端子１６１は、第２凸部１１２の先端部に配設され、第１接触部１６５と第２接触部１６６とを接続する接続部１６４を含み、完全嵌合状態において、下側接続部６４と接続部１６４とは離間している。
【００８０】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００８１】
本開示は、コネクタに適用することができる。
【符号の説明】
【００８２】
１    第１コネクタ
１１、８１１    第１ハウジング
１２    凹部
１２ａ、１１３    凹溝部
１３    第１凸部
１３ａ、１４ａ    上面
１３ｂ、８１３ａ    庇部
１４    側壁部
１５ａ    第１端子収容内側キャビティ
１５ｂ    第１端子収容外側キャビティ
２１    第１突出端部
２１ｂ    端壁部
２１ｃ    側壁延長部
２２    嵌合凹部
２６    第１金具保持凹部
５１    第１補強金具
５２    第１本体部
５３    接続腕部
５４    側方ガイド部
５５    接触腕部
５６    基板接続部
６１、８６１    第１端子
６２、１６２    テール部
６３    被保持部
６４    下側接続部
６５、１６５、８６５、９６５    第１接触部
６５ａ、１６５ａ    湾曲部
６５ｂ、１６５ｂ    直線部
６５ｃ、１６５ｃ    下端部
６６、１６６、８６６    第２接触部
６７    上側接続部
６８    内側接続部
１０１    第２コネクタ
１１１、９１１    第２ハウジング
１１２    第２凸部
１２２    第２突出端部
１５１    第２補強金具
１５２    第２本体部
１５４    側方覆部
１５５    接触側板部
１５６    基板接続部
１５７    中央覆部
１５８    保持用突出片
１６１、９６１    第２端子
１６３    本体部
１６４、８６４    接続部
１６８    遷移面部
８１３    島部
８９１    第１回路基板
９９１    第２回路基板
【図１】
2017204433.tif 000003
【図２】
2017204433.tif 000004
【図３】
2017204433.tif 000005
【図４】
2017204433.tif 000006
【図５】
2017204433.tif 000007
【図６】
2017204433.tif 000008
【図７】
2017204433.tif 000009